(57)【要約】【課題】現金を汚損せずに強奪による盗難を防止することができる盗難防止装置を提供する。【解決手段】盗難防止装置が、現金自動取引装置の内部に設置した内部パイプと、現金自動取引装置の外部であって通常は視認できない場所に設置した外部パイプとを備え、内部パイプと外部パイプとを結合して閉回路を形成し、この閉回路に着色等による防盗性液体を封入して現金自動取引装置が持ち去られようとした時に防盗性液体が漏れ出すようにする。【選択図】        図１
2005068716.tif 000002
【特許請求の範囲】
【請求項１】
被保護体の内部に設置した内部パイプと、被保護体の外部であって通常は視認できない場所に設置した外部パイプとを備え、
前記内部パイプと外部パイプとを結合して閉回路を形成し、該閉回路に液体を封入したことを特徴とする盗難防止装置。
【請求項２】
請求項１において、
前記被保護体が、現金自動取引装置であることを特徴とする盗難防止装置。
【請求項３】
請求項１または請求項２において、
前記閉回路に、液体を循環させる循環ポンプを設置したことを特徴とする盗難防止装置。
【請求項４】
請求項１、請求項２または請求項３において、
前記被保護体に、前記内部パイプに接続する液体の貯蔵タンクを設けたことを特徴とする盗難防止装置。
【請求項５】
請求項１から請求項３または請求項４において、
前記液体が、防盗性液体であることを特徴とする盗難防止装置。
【発明の詳細な説明】
【技術分野】
【０００１】
本発明は、金庫等をそのまま持ち去る強奪を防止するための盗難防止装置に関し、特に現金自動取引装置の強奪を防止するための盗難防止装置に関する。
【背景技術】
【０００２】
従来の盗難防止装置は、現金自動取引装置の現金収納庫にインク噴射装置を設けると共に、現金自動取引装置の内部に扉の抉じ開け等を衝撃や熱により感知する各種センサを設け、これらのセンサの異常の感知信号により現金にインクを噴射し、現金を使用できないようにして現金の盗難を防止している（例えば、特許文献１参照。）。
【特許文献１】特開２０００−３２２６２５号公報（第３頁、第１図）
【発明の開示】
【発明が解決しようとする課題】
【０００３】
しかしながら、上述した従来の技術においては、扉の抉じ開け等に対処するために外部から供給される電源により作動する各種センサやインク噴射装置を用いているため、近年の重機等を用いて現金自動取引装置や金庫をそのまま持ち去るような強奪において、事前に電源を遮断された場合等への対処ができないという問題がある。
また、紙幣等を汚損して使用できないようにしてしまうため、盗難後に紙幣等が返却された場合には再使用ができないという問題がある。
【０００４】
本発明は、上記の問題点を解決するためになされたもので、現金を汚損せずに強奪による盗難を防止することができる盗難防止装置を提供することを目的とする。
【課題を解決するための手段】
【０００５】
本発明は、上記課題を解決するために、盗難防止装置が、被保護体の内部に設置した内部パイプと、被保護体の外部であって通常は視認できない場所に設置した外部パイプとを備え、前記内部パイプと外部パイプとを結合して閉回路を形成し、該閉回路に防盗性液体を封入したことを特徴とする。
【発明の効果】
【０００６】
これにより、本発明は、現金自動取引装置等の被保護体を異常な手段で撤去しようとした時に防盗性液体が被保護体の外部に漏れ出し、強奪犯等への警告を発して盗難を未然に防止することができるという効果が得られる。
【発明を実施するための最良の形態】
【０００７】
以下に、図面を参照して本発明による盗難防止装置の実施例について説明する。
【実施例１】
【０００８】
図１は本発明の実施例１の盗難防止装置を示す説明図、図２はその異常撤去時の状態を示す説明図である。
図１において、１は被保護体としての現金自動取引装置であり、銀行等の金融機関や郵便局、コンビニエンスストア等（金融機関等という。）の営業店のＡＴＭコーナや無人ブース等（店舗という。）に設置され、顧客との間の現金による取引を無人で行う。
【０００９】
２は内部パイプであり、樹脂材料または金属材料で製作された丸パイプまたは角パイプ等のパイプであって、現金自動取引装置１のケースの内部に設置され、その両端部付近には開閉自在な内部コック３が設置されている。
４は外部パイプであり、樹脂材料または金属材料で製作された丸パイプまたは角パイプ等のパイプであって、現金自動取引装置の外部である店舗の床下や隣室、天井内等の通常では顧客に視認されない場所に設置され、その両端部付近には開閉自在な外部コック５が設置されている。
【００１０】
上記の内部パイプ２と外部パイプ４とはその両端部を溶接等の結合手段で結合して閉回路を形成し、その閉回路には一般に流通している黒色、赤色、白色等の各種の色素または蛍光色素で着色された視認した際に異常を感じる液体（防盗性液体という。）が封入されている。
上記の構成の作用について説明する。
【００１１】
無人ブース等の店舗に本実施例の盗難防止装置を設置する場合は、店舗の床下等に外部パイプ４を設置し、防盗性液体を注入して外部コック５を閉状態にしておき、現金自動取引装置１に設けた内部パイプ２にも防盗性液体を注入して内部コック３を閉状態にして所定の場所に設置し、内部パイプ２と外部パイプ４の両端部を溶接等により結合して閉回路を形成した後に、内部コック３と外部コック５とを開状態として閉回路の中に防盗性液体を封入して設置する。
【００１２】
このようにして設置された現金自動取引装置１が重機等の異常な手段で異常撤去されようとした場合には、現金自動取引装置１を持ち去ろうとした時に、図２の異常撤去時の状態に示すように接合部等の閉回路の一部が引きちぎられてその内部パイプ２や外部パイプ４の切断口から防盗性液体が自重等により外部に漏れ出し、強奪犯等が異常を感じて立ち去るように仕向けることができる。
【００１３】
なお、設置した現金自動取引装置１を正常に撤去する場合は、現金自動取引装置１の図示しない係員操作部等の扉を開錠して内部コック３を閉状態にし、床下等に設置された外部コック５を閉じた後に結合部等を切り離して撤去する。これにより防盗性液体が外部に漏れ出すのを最小限に抑制することができる。
なお、防盗性液体は、上記の視認により異常を感じる液体に限らず、強奪犯等が異常を感じれば足り、例えば異臭を放って嗅覚で異常を感じるような添加剤を混入するようにしてもよい。
【００１４】
また、内部パイプ２と外部パイプ４とは溶接等により結合するとして説明したが、コネクタ等により接合して閉回路を形成するようにしてもよい。
以上説明したように、本実施例では、現金自動取引装置の内部と外部とを結合して閉回路を形成し、その閉回路に防盗性液体を封入するようにしたことによって、現金自動取引装置を異常な手段で撤去しようとした時に防盗性液体が現金自動取引装置の外部に漏れ出し、強奪犯等への警告を発して盗難を未然に防止することができる。
【００１５】
また、現金自動取引装置１の紙幣金庫等へは防盗性液体が浸入することがないので、紙幣等を汚損することを防止できる。
更に、防盗性液体が店舗の床面等に漏れ出すことによって、この防盗性液体が強奪犯等の靴底や衣服の裾等に付着し、強奪犯等の特定に寄与することができる。
なお、上記においては、内部パイプや外部パイプに防盗性液体を注入するとして説明したが、内部パイプおよび／もしくは外部パイプに液体封入用のソケットを設け、閉回路の形成後に加圧して防盗性液体を封入するようにしてもよい。これにより閉回路の一部が切断された時に防盗性液体が噴出して強奪犯等の衣服への付着の促進を図ることができる。
【００１６】
また、閉回路にアキュムレータや防盗性液体のタンクを設けるようにすれば、更に衣服への付着性を促進することができる。
【実施例２】
【００１７】
図３は本発明の実施例２の盗難防止装置を示す説明図である。
なお、上記実施例１と同様の部分は、同一の符号を付してその説明を省略する。
１１は遠心式や容積式のポンプ等の循環ポンプであり、外部パイプ４に設置され、閉回路内の防盗性液体を循環させる。
１２は冷却機であり、ラジエタ式または冷媒式の冷却機であって、外部パイプ４に設置され、閉回路内を循環する防盗性液体を冷却する。
【００１８】
なお、本実施例の内部パイプ２は、現金自動取引装置１の発熱部位を巡るように設置することが望ましい。
上記の構成の作用について説明する。
店舗に本実施例の盗難防止装置を設置する場合は、上記実施例１と同様にして外部パイプ４や現金自動取引装置１を所定の場所に設置し、閉回路を形成した後に内部コック３と外部コック５とを開状態として閉回路の中に防盗性液体を封入して設置する。
【００１９】
そして、循環ポンプ１１を稼動させて冷却機１２により冷却した防盗性液体を現金自動取引装置１の内部に循環させる。
このようにして設置された現金自動取引装置１が異常撤去されようとした場合には、実施例１と同様に閉回路の一部が引きちぎられる。
この時、閉回路の防盗性液体が循環ポンプ１１により加圧されているので、切断の初期にその切断口から防盗性液体が外部に噴出し、その後は残留した防盗性液体が外部に漏れ出すようになる。これにより防盗性液体の視認性が高まり、強奪犯等が異常を感じて立ち去ることを促進することができる。
【００２０】
なお、設置した現金自動取引装置１を正常に撤去する場合の作動は、実施例１と同様であるのでその説明を省略する。
以上説明したように、本実施例では、実施例１の効果に加えて、循環ポンプを閉回路に設置するようにしたことによって、防盗性液体を加圧して封入することができ、防盗性液体の視認性を高めて盗難防止効果を更に高めることができると共に、強奪犯等の衣服等への防盗性液体の付着性を高めることができる。
【００２１】
また、冷却機により冷却した防盗性液体を現金自動取引装置の内部に循環させるようにしたことによって、従来の空冷ファンによる現金自動取引装置内部の冷却性を向上させることができる。
【実施例３】
【００２２】
図４は本発明の実施例３の盗難防止装置を示す説明図である。
なお、上記実施例１と同様の部分は、同一の符号を付してその説明を省略する。
２１は貯蔵タンクであり、現金自動取引装置１の内部に設けられ、防盗性液体が貯蔵される。
２２はポンプであり、内部パイプ２に接続する接続パイプ２３の貯蔵タンク２１の下流側に設置され、防盗性液体を圧送する。本実施例ではダイヤフラム式等の電磁ポンプである。
【００２３】
２４は液体検知センサであり、静電容量の変化等により液体の有無を検知するセンサであって、内部パイプ２内の液体の有無を検知する。
２５は開閉弁であり、接続パイプ２３の内部パイプ２との接続部付近に設置され、常時は閉状態となっている。本実施例では通電時に開状態となる電磁弁である。
２６はバッテリであり、現金自動取引装置１の外部から供給されている電力が途絶えた時にポンプ２２、液体検知センサ２４、開閉弁２５へ電力を供給する。
【００２４】
上記の構成の作用について説明する。
店舗に本実施例の盗難防止装置を設置する場合は、上記実施例１と同様にして外部パイプ４を設置し、貯蔵タンク２１に防盗性液体を充填した現金自動取引装置１を所定の場所に設置して閉回路を形成した後に内部コック３と外部コック５とを開状態として閉回路の中に防盗性液体を封入して設置する。
【００２５】
この時、開閉弁２５は閉状態と、ポンプ２２は非作動となっており、液体検知センサ２４は液体ありを検知している。
このようにして設置された現金自動取引装置１が異常撤去されようとした場合には、実施例１と同様に閉回路の一部が引きちぎられ、同時に外部から供給されていた電力も遮断される。
【００２６】
この時、液体検知センサ２４への電力の供給がバッテリ２６へ切り替わりると共に内部パイプ２の切断口から防盗性液体が外部へ漏れ出し、内部パイプ２内の防盗性液体がなくなると、これを液体検知センサ２４が検知してその内部に設けられている図示しない電気接点等を接続する。これにより開閉弁２５とポンプ２２へバッテリ２６から電力が供給され、開閉弁２５が開状態となると共にポンプ２２が作動する。
【００２７】
そして、ポンプ２２により防盗性液体が貯蔵タンク２１から切断口へ圧送されて徐々に排出される。本実施例ではポンプは電磁ポンプであるので駆動周波数を調整することによって所望の流量で防盗性液体を排出することができる。
これにより防盗性液体が漏れ出したにもかかわらず、強奪犯等が現金自動取引装置１を持ち去った場合においても、逃走ルートに防盗性液体の痕跡を残すことができる。
【００２８】
なお、設置した現金自動取引装置１を正常に撤去する場合の作動は、実施例１と同様であるのでその説明を省略する。
以上説明したように、本実施例では、実施例１の効果に加えて、防盗性液体を充填した貯蔵タンクを現金自動取引装置の内部に設けてポンプにより徐々に排出するようにしたことによって、強奪犯等が現金自動取引装置を持ち去った場合においても、その逃走ルートに防盗性液体の痕跡を残すことが可能となり、強奪犯等の逃走ルートの特定に寄与することができる。
【００２９】
なお、上記各実施例においては、被保護体を現金自動取引装置として説明したが、本発明の盗難防止装置を適用する被保護体は現金自動取引装置に限らず、定置式の金庫やレジスタ等の床面や棚面、机上等に設置されて持ち去られる可能性のある被保護体であればどのようなものにも適用することができる。
【図面の簡単な説明】
【００３０】
【図１】実施例１の盗難防止装置を示す説明図
【図２】実施例１の異常撤去時の状態を示す説明図
【図３】実施例２の盗難防止装置を示す説明図
【図４】実施例３の盗難防止装置を示す説明図
【符号の説明】
【００３１】
１    現金自動取引装置
２    内部パイプ
３    内部コック
４    外部パイプ
５    外部コック
１１  循環ポンプ
１２  冷却機
２１  貯蔵タンク
２２  ポンプ
２３  接続パイプ
２４  液体検知センサ
２５  開閉弁
２６  バッテリ
【図１】
2005068716.tif 000003
【図２】
2005068716.tif 000004
【図３】
2005068716.tif 000005
【図４】
2005068716.tif 000006